(57)【要約】【課題】会計業務に影響を及ぼすことなく、ポイント寄付行為を容易に実現できるようにする。【解決手段】可搬型の本体を有する客用端末９は、商品識別子が入力されると、この商品識別子で識別される商品の購入者に提供されるポイントを寄付するか否かの選択入力を受付ける。そして、入力された商品識別子を、ポイントを寄付する旨の入力がなされた識別子と寄付する旨の入力がなされなかった識別子とで判別可能に記憶する。会計装置３は、客用端末から商品識別子を取り込み、客が買上げる商品の会計を処理するとともに、この取り込んだ商品識別子のうち寄付する旨の入力がなされた商品識別子から導き出されたポイントを寄付ポイントとして処理する。【選択図】      図１
2010244430.tif 000002
【特許請求の範囲】
【請求項１】
商品を識別する商品識別子を入力する商品入力手段、この商品入力手段を介して商品識別子が入力されると、この商品識別子で識別される商品の購入者に提供されるポイントを寄付するか否かの選択入力を受付ける寄付受付手段、及び、前記商品入力手段を介して入力された商品識別子を、前記ポイントを寄付する旨の入力がなされた識別子と寄付する旨の入力がなされなかった識別子とで判別可能に記憶する記憶手段を具備した可搬型の客用端末と、
前記客用端末の記憶手段に記憶される商品識別子を取り込む取込手段、この取込手段により取り込んだ商品識別子に基づいて客が買上げる商品の会計を処理する会計処理手段、及び、前記取込手段により取り込んだ商品識別子のうち寄付する旨の入力がなされた商品識別子から導き出されるポイントを寄付ポイントとして処理するポイント寄付手段、を具備した会計装置と、
を備えたことを特徴とするポイント処理システム。
【請求項２】
可搬型の本体と、
商品を識別する商品識別子を入力する商品入力手段と、
この商品入力手段を介して商品識別子が入力されると、この商品識別子で識別される商品の購入者に提供されるポイントを寄付するか否かの選択入力を受付ける寄付受付手段と、
前記商品入力手段を介して入力された商品識別子を、前記ポイントを寄付する旨の入力がなされた識別子と寄付する旨の入力がなされなかった識別子とで判別可能に記憶する記憶手段と、
この記憶手段により前記ポイントを寄付するか否かを判別可能に記憶した商品識別子を出力する出力手段と、
を具備したことを特徴とする客用端末。
【請求項３】
入力された客識別子により特定される客が寄付したポイントの累計値を、各客を識別する客識別子別にその客が寄付したポイントを累積するデータベースから取得する寄付累計ポイント取得手段と、
この寄付累計ポイント取得手段により取得した累計ポイントに応じて、画像を取得する画像取得手段と、
この画像取得手段により取得した画像を出力する画像出力手段と、
をさらに具備したことを特徴とする請求項２記載の客用端末。
【請求項４】
商品入力手段を介して入力された商品識別子を、ポイントを寄付する旨の入力がなされた識別子と寄付する旨の入力がなされなかった識別子とで判別可能に記憶する記憶手段を備えた端末から、前記記憶手段により記憶される商品識別子を取り込む取込手段と、
この取込手段により取り込んだ商品識別子に基づいて買物客が買上げる商品の会計を処理する会計処理手段と、
前記取込手段により取り込んだ商品識別子のうち寄付する旨の入力がなされた商品識別子から導き出されるポイントを寄付ポイントとして処理するポイント寄付手段と、
を具備したことを特徴とする会計装置。
【請求項５】
会計装置として用いられるコンピュータを、
商品入力手段を介して入力された商品識別子を、ポイントを寄付する旨の入力がなされた識別子と寄付する旨の入力がなされなかった識別子とで判別可能に記憶する記憶手段を備えた端末から、前記記憶手段により記憶される商品識別子を取り込む取込手段と、
この取込手段により取り込んだ商品識別子に基づいて買物客が買上げる商品の会計を処理する会計処理手段と、
前記取込手段により取り込んだ商品識別子のうち寄付する旨の入力がなされた商品識別子から導き出されるポイントを寄付ポイントとして処理するポイント寄付手段と、
として機能させるためのプログラム。
【発明の詳細な説明】
【技術分野】
【０００１】
本発明は、客が商品を購入する際に発行されるポイントを処理するポイント処理システムに関する。
【背景技術】
【０００２】
近年、多くの小売店では、顧客の囲い込みを目的に、ポイントサービス制度を導入している。この制度は、会員登録したポイント会員が、店で商品を購入することによりポイントの発行を受け、貯めたポイントをその店で利用するというものである。ポイントの利用方法としては、ポイントを金額に換算して買上商品の合計金額から値引を行うのが一般的であるが、最近では、ポイントを使った寄付行為も提案されている。
【０００３】
例えば、特許文献１は、レジスタ端末装置において、寄付対象商品の登録があると寄付ポイントを一時記憶し、全商品の登録が終了すると、寄付ポイントの振り向け先リストを表示し、寄付ポイントを寄付すること及びその振り向き先がリストから選択されると、寄付ポイントを振り向け別に累計記憶する技術を開示する。
【発明の概要】
【発明が解決しようとする課題】
【０００４】
しかしながら、特許文献１記載の技術では、客が会計を行う際に、その客が獲得したポイントを寄付するか否か、またどこへ寄付するかを選択するので、会計業務に時間がかかり、会計場所の混雑を増長させるという不具合があり、実用的ではない。
【０００５】
本発明は、会計業務に影響を及ぼすことなくポイント寄付行為を容易に実現でき、実用性を高めたポイント処理システムを提供することを目的とする。
【課題を解決するための手段】
【０００６】
本発明は、可搬型の客用端末と会計装置とからなる。前記客用端末は、商品を識別する商品識別子を入力する商品入力手段と、この商品入力手段を介して商品識別子が入力されると、この商品識別子で識別される商品の購入者に提供されるポイントを寄付するか否かの選択入力を受付ける寄付受付手段と、前記商品入力手段を介して入力された商品識別子を、前記ポイントを寄付する旨の入力がなされた識別子と寄付する旨の入力がなされなかった識別子とで判別可能に記憶する記憶手段とを具備する。前記会計装置は、前記客用端末の記憶手段に記憶される商品識別子を取り込む取込手段と、この取込手段により取り込んだ商品識別子に基づいて客が買上げる商品の会計を処理する会計処理手段と、前記取込手段により取り込んだ商品識別子のうち寄付する旨の入力がなされた商品識別子から導き出されるポイントを寄付ポイントとして処理するポイント寄付手段とを具備する。
【発明の効果】
【０００７】
かかる手段を講じた本発明によれば、会計業務に影響を及ぼすことなくポイント寄付行為を容易に実現でき、実用的である。
【図面の簡単な説明】
【０００８】
【図１】本発明に関わる一実施形態のシステム構成図。
【図２】同実施形態で用いられる商品データベースのデータ構造図。
【図３】同実施形態で用いられる会員データベースのデータ構造図。
【図４】同実施形態で用いられる寄付先データベースのデータ構造図。
【図５】同実施形態で用いられる無線通信端末の要部構成を示すブロック図。
【図６】無線通信端末のＲＡＭに形成される主要なメモリエリアを示す図。
【図７】同実施形態で用いられるＰＯＳ端末の要部構成を示すブロック図。
【図８】同実施形態において、無線通信端末のＣＰＵが実行する主要なプログラム処理手順を示す流れ図。
【図９】同実施形態において、ＰＯＳ端末のＣＰＵが実行する会員会計キー入力時のプログラム処理手順を示す流れ図。
【図１０】同実施形態において、無線通信端末のタッチパネル付ディスプレイに表示される寄付問合せ画面の一例を示す図。
【図１１】同実施形態において、無線通信端末のタッチパネル付ディスプレイに表示される買上情報画面の一例を示す図。
【発明を実施するための形態】
【０００９】
図１は、本発明に関わる一実施形態のシステム構成図である。本システムは、ポイントサービス制度を導入するスーパーマーケット等の小売店に構築される。本システムは、その中枢部としてストアサーバ１を備える。そして、このストアサーバ１に、ＬＡＮ（Local Area Network）２を介して、ＰＯＳ（Point Of Sales）端末３、アクセスポイント４及び端末ラックコントローラ５を接続している。
【００１０】
ストアサーバ１は、商品データベース１１、会員データベース１２及び寄付先データベース１３を管理する。商品データベース１１は、図２に示すように、各商品を識別する商品識別子としての商品コードにそれぞれ関連付けて、商品名、価格、寄付フラグ、寄付先コード、寄付ポイント等の商品データを記憶する。例えばエコロジー活動や福祉活動に推奨される商品を、購入時に客に付与されるポイントの少なくとも一部を特定の寄付先に寄付できるポイント寄付対象商品として設定する。そして、ポイント寄付対象商品については寄付フラグを“１”とし、該当する寄付先コードと寄付ポイントとを記憶する。
【００１１】
会員データベース１２は、図３に示すように、各ポイント会員を識別する会員識別子としての会員番号に関連付けて、保持ポイントと累計寄付ポイントとを記憶する。対応する会員番号で特定される顧客が、店で商品を購入することにより獲得したポイントは、保持ポイントとして貯められる。また、この顧客が今までに寄付したポイントの合計は、累計寄付ポイントとして記憶される。
【００１２】
寄付先データベース１３は、ポイントの寄付先である環境活動団体や慈善団体等に予め割り当てられた寄付先識別子としての寄付先コードに関連付けて、その寄付先の名称と、寄付ポイントの合計ポイントとを記憶する。
【００１３】
端末ラックコントローラ５は、会員番号入力部６と端末ラック７とを接続している。会員番号入力部６は、ポイント会員として登録された顧客に割り当てられる会員番号の入力に供せられる。例えばＩＣカードから会員番号を読取るためのカードリーダが該当する。
【００１４】
端末ラック７は、複数の端末置き台８を形成している。各置き台８には、それぞれ無線通信端末９が１基ずつ着脱自在に置かれる。また、各置き台８に１対１で対応して、ＬＥＤ等の表示部１０を設けている。
【００１５】
無線通信端末９は、本発明に係る客用端末の一態様であって、その要部構成を、図５のブロック図で示す。図示するように、無線通信端末９は、持運び自在な可搬型の本体に、ＣＰＵ２１、ＲＯＭ２２、ＲＡＭ２３、無線部２４、スキャナ２５、タッチパネル付ディスプレイ２６、インターフェイス２７及びバッテリ２８を備えている。スキャナ２５は、商品に付されたバーコード等の商品コードを読取るもので、商品入力手段として機能する。タッチパネル付ディスプレイ２６は、入力手段及び表示手段として機能する。タッチパネル付ディスプレイの代わりにキーボードを入力手段として用いてもよい。
【００１６】
ＲＡＭ２３は、主要なメモリエリアとして、図６に示すように、買上ファイル３１と、閾値テーブル３２と、会員データファイル３３とを備えている。買上ファイル３１は、客が購入する商品毎に、商品コード、商品名、単価、数量、寄付フラグ、寄付先名、寄付ポイント及び実行回数の各データを記憶する。閾値テーブル３２は、累計寄付ポイントが増加する方向に段階的に区切られた複数（本実施の形態では４段階）の累計寄付ポイント範囲にそれぞれ対応して、異なる画像情報を記憶する。画像情報の画像としては、例えば、累計寄付ポイントの範囲が１段階ずつ上昇する毎に樹木が成長するというように、エコロジー活動や福祉活動への貢献度が一目でわかる画像であることが望ましい。会員データファイル３３は、会員番号、保持ポイント、累計寄付ポイント、仮累計寄付ポイント及び買上金額の各記憶エリアを有する。
【００１７】
ＰＯＳ端末３は、本発明に係る会計装置の一態様であって、その要部構成を図７のブロック図で示す。図示するように、ＰＯＳ端末３は、ＣＰＵ４１、ＲＯＭ４２、ＲＡＭ４３、時計部４４、ＬＡＮコントローラ４５、クレイドル４６が接続されるインターフェイス４７、スキャナ４８、キーボード４９、オペレータ用表示器５０、客用表示器５１及びプリンタ５２を備えている。クレイドル４６は、無線通信端末９のドッキングステーションとして機能する。ＲＡＭ４３には、無線通信端末９のＲＡＭ２３に記憶されている閾値テーブル３２と同一の閾値テーブルが記憶されている。これらの閾値テーブルは、例えばストアサーバ１で作成され、１営業日の開始前に、ＬＡＮ２を介して各無線通信端末９とＰＯＳ端末３とにダウンロードされる。
【００１８】
本システムが構築される小売店では、例えば店の入口に端末ラック７が設置されている。端末ラック７の各置き台８には、それぞれ無線通信端末９が置かれている。無線通信端末９は、置き台８に置かれると、インターフェイス２７を介して端末ラックコントローラ５と電気的に接続され、バッテリ２８が充電される。
【００１９】
端末ラック７の近傍には、会員番号入力部６が設けられている。来店した客（ポイント会員）は、会員番号入力部６を介して自身の会員番号を入力する。会員番号が入力されると、端末ラックコントローラ５は、この会員番号をストアサーバ１に送信して、会員情報を問合せる。問合せを受けたストアサーバ１は、会員データベース１２を検索し、当該会員番号で識別される会員の保持ポイントと累計寄付ポイントとを呼出す。そして、この会員番号と保持ポイントと累計寄付ポイントとを端末ラックコントローラ５に返信する。
【００２０】
端末ラックコントローラ５は、いずれかの置き台８に置かれている１基の無線通信端末９を選択する。そして、その会員データファイル３３の会員番号エリア、保持ポイントエリア及び累計寄付ポイントエリアに、ストアサーバ１から受信した会員番号、保持ポイント及び累計寄付ポイントを書き込む。また、この端末９が置かれている置き台８に対応した表示部１０を例えば点滅させる。
【００２１】
表示部１０の点滅を確認した会員は、その表示部１０に対応した置き台８から無線通信端末９を取り出す。置き台８から取り出された無線通信端末９は、駆動電源をバッテリ２８に切り換える。その後、無線通信端末９は、図８の流れ図に示す手順でＣＰＵ２１が動作するように、プログラムを構成している。
【００２２】
すなわちＣＰＵ２１は、ＳＴ（ステップ）１として、買上ファイル３１をクリアする。また、ＳＴ２として会員データファイル３３の仮累計寄付ポイントエリアに累計寄付ポイントエリアのポイントを複写する（寄付累計ポイント取得手段）。さらに、買上金額エリアのデータを“０”とする。
【００２３】
次に、ＣＰＵ２１は、ＳＴ３として仮累計寄付ポイントエリアに記憶したポイントで閾値テーブル３２を検索する。そして、当該ポイントが属する累計寄付ポイント範囲に対応する画像情報を読み出し（画像取得手段）、その画像を、タッチパネル付ディスプレイ２６に表示させる（画像出力手段）。
【００２４】
次に、ＣＰＵ２１は、ＳＴ４としてスキャナ２５による商品コードのスキャニングが行われるのを待機する。スキャニングが行われると（ＳＴ３のＹＥＳ：商品入力手段）、ＣＰＵ２１は、ＳＴ５として、その商品コードを含む商品情報問合せ伝文を作成する。そして、この伝文を、無線部２４を介してストアサーバ１に無線送信する。
【００２５】
この伝文は、いずれかのアクセスポイント４を経由してストアサーバ１に伝送される。ストアサーバ１は、伝文中の商品コードで商品データベース１１を検索し、問合せのあった商品コードで識別される商品の商品名、価格、寄付フラグ、寄付先コード、寄付ポイント等の商品データを読み出す。また、読み出した商品データ中の寄付先コードで寄付先データベース１３を検索して、この寄付先コードに対応する寄付先名を取得する。そして、この寄付先名を含む商品データを、問合せ元の無線通信端末９に無線送信する。
【００２６】
この商品データは、いずれかのアクセスポイント４を経由して問合せ元の無線通信端末９に伝送される。無線部２４を介して商品データを受信したＣＰＵ２１は、ＳＴ６としてその商品情報を買上ファイル３１で記憶する。このとき、買上ファイル３１に同一商品コードの商品データを既に記憶しているか否かを判断する。記憶していない場合には、応答のあった商品コード、価格、寄付フラグ、寄付先名、寄付ポイントを１レコードとして記憶する。また、このレコードの数量を“１”とする。実行回数は“０”とする。これに対し、同一商品コードの商品データを既に記憶している場合には、そのレコードの数量を“１”だけ増加する。
【００２７】
次に、ＣＰＵ２１は、ＳＴ７として買上ファイル３１に記憶されているレコード毎に価格と数量とを乗算して金額を求め、各レコードの金額を合算して合計金額を算出する。そして、その合計金額を、会員データファイル３３の買上金額エリアに上書きする。
【００２８】
次に、ＣＰＵ２１は、ＳＴ８として今回取得した商品データを記憶した買上ファイル３１のレコードに寄付フラグがセットされているか否かを判断する。スキャニングした商品がポイント寄付対象でない場合、寄付フラグはセットされていない。この場合（ＳＴ８のＮＯ）、ＣＰＵ２１は、ＳＴ１３の処理に進む。
【００２９】
スキャニングした商品がポイント寄付対象である場合は、寄付フラグがセットされている。この場合（ＳＴ８のＹＥＳ）、ＣＰＵ２１は、ＳＴ９としてタッチパネル付ディスプレイ２６に寄付問合せ画面６０を表示させる（寄付受付手段）。寄付問合せ画面６０の一例を図１０に示す。図示するように寄付問合せ画面６０には、会員データファイル３３の仮累計寄付ポイント６１及びこのポイントに対応した画像情報の画像６２と、今回取得した商品データの商品名及び価格６３と、この商品がポイント寄付対象であることを示すメッセージデータ６４と、寄付先名及び寄付ポイント６５とが表示される。また、寄付をするか否かを会員に問合せるメッセージとともに、ＹＥＳボタン６６とＮＯボタン６７とを表示させる。上記メッセージを確認した会員は、ポイントを寄付する場合はＹＥＳボタン６６を、寄付しない場合はＮＯボタン６７をタッチ操作する。
【００３０】
寄付問合せ画面６０を表示させた後、ＣＰＵ２１は、ＳＴ１０としてＹＥＳボタン６６とＮＯボタン６７のいずれか一方がタッチ操作されるのを待機する。ＮＯボタン６７がタッチ操作された場合（ＳＴ１０のＮＯ）、ＣＰＵ２１は、ＳＴ１３の処理に進む。
【００３１】
ＹＥＳボタン６６がタッチ操作された場合は（ＳＴ１０のＹＥＳ）、ＣＰＵ２１は、ＳＴ１１として今回取得した商品データを記憶した買上ファイル３１のレコードの実行回数を“１”だけ増加する。また、ＳＴ１２として会員データファイル３３の仮累計寄付ポイントエリアに、同レコードの寄付ポイントを加算する。しかる後、ＣＰＵ２１は、ＳＴ１３の処理に進む。
【００３２】
ここに、買上ファイル３１は、スキャニングした商品コードを、ポイントを寄付する旨の入力がなされたデータと寄付する旨の入力がなされなかったデータとで判別可能に記憶する記憶手段として機能する。
【００３３】
ＳＴ１３では、ＣＰＵ２１は、タッチパネル付ディスプレイ２６に買上情報画面７０を表示させる。買上情報画面７０の一例を図１１に示す。図示するように買上情報画面７０には、会員データファイル３３の仮累計寄付ポイント７１及びこのポイントに対応した画像情報の画像７２と、今回取得した商品データの商品名及び価格７３とが表示される。また、買物を終了するか否かを会員に問合せるメッセージとともに、ＹＥＳボタン７４とＮＯボタン７５とを表示させる。上記メッセージを確認した会員は、買物を続ける場合はＮＯボタン７５を、買物を終了する場合はＹＥＳボタン７４をタッチ操作する。
【００３４】
買上情報画面７０を表示させた後、ＣＰＵ２１は、ＳＴ１４としてＹＥＳボタン７４とＮＯボタン７５のいずれか一方がタッチ操作されるのを待機する。ＮＯボタン７５がタッチ操作された場合（ＳＴ１４のＮＯ）、ＣＰＵ２１は、ＳＴ３の処理に進む。すなわち、仮累計寄付ポイントエリアに記憶したポイントで閾値テーブル３２を検索する。そして、当該ポイントが属する累計寄付ポイント範囲に対応する画像情報を読み出し、タッチパネル付ディスプレイ２６の画面領域の一部に表示させる。しかる後、次の商品コードがスキャニングされるのを待機する。商品コードがスキャニングされたならば、前記ＳＴ５〜ＳＴ１４の処理を再度実行する。
【００３５】
これに対し、ＹＥＳボタン７４がタッチ操作された場合には（ＳＴ１４のＹＥＳ）、ＣＰＵ２１は、ＳＴ１５として読出要求コマンドを待機する。インターフェイス２７を介して読出要求コマンドを受信すると（ＳＴ１５のＹＥＳ）、ＣＰＵ２１は、ＳＴ１６として買上ファイル３１のデータを、会員データファイル３３の会員番号、保持ポイント及び累計寄付ポイントとともに、インターフェイス２７を介してコマンド送信元に送信する（出力手段）。以上で、今回の処理手順を終了する。
【００３６】
このように、無線通信端末９を端末ラック７から取り出して携帯した会員は、購入しようとする商品を例えばショッピングカートに入れる際に、その商品に付されている商品コードをスキャナ２５でスキャニングして、仮登録を行う。そうすると、その商品がポイント寄付対象である場合には、寄付問合せ画面６０が表示される。そこで会員は、画面６０を確認し、ポイントを寄付する場合は、ＹＥＳボタン６６にタッチする。そうすると、買上ファイル３１に仮登録された当該商品のレコードの実行回数が“１”だけ増加する。実行回数が“１”以上となることにより、同レコード中の寄付ポイントを寄付先へ寄付するための情報処理がＰＯＳ端末３にて実行される。ポイントを寄付しない場合は、ＮＯボタン６７にタッチする。いずれかのボタン６６，６７にタッチすることにより、買上情報画面７０が表示される。画面７０を確認し、買物を続ける場合は、ＮＯボタン７５にタッチする。そして、次に購入する商品の商品コードをスキャナ２５でスキャニングする。
【００３７】
買物を終了する場合、会員は、ＹＥＳボタン７４にタッチする。そして、買上商品の代金を支払うために会計場所に行き、無線通信端末９をクレイドル４６に置く。クレイドル４６に無線通信端末９が置かれたことを確認すると、キャッシャは、キーボード４９に設けられた会員会計キーを押下する。そうすると、ＰＯＳ端末３は、ＣＰＵ４１が図９の流れ図に示す手順で会員会計処理を実行するように、プログラムを構成している。
【００３８】
すなわちＣＰＵ４１は、ＳＴ２１としてインターフェイス４７を介して読出要求コマンドを送信する。そして、ＳＴ２２としてデータの読出に成功したか否かを判断する。ＰＯＳ端末３から送信された読出要求コマンドは、クレイドル４６に置かれた無線通信端末９に与えられる。これにより、無線通信端末９は、買上ファイル３１の商品コードを含むデータと会員番号、保持ポイント及び累計寄付ポイントとを返信するので、これらのデータの受信に成功したならば（ＳＴ２２のＹＥＳ）、ＣＰＵ４１は、受信データをＲＡＭ４３のワークエリアで一時記憶する（取込手段）。
【００３９】
次に、ＣＰＵ４１は、ＳＴ２３としてカウンタｎを“０”に初期化する。続いて、ＣＰＵ４１は、ＳＴ２４として上記カウンタｎを“１”だけカウントアップする。そして、ＳＴ２５として、ワークエリアに記憶した買上ファイル３１から、ｎ番目（ｎはカウンタｎの値）の商品データ（商品コード、商品名、価格、数量、寄付フラグ、寄付先名、寄付ポイント、実行回数）を取得する。
【００４０】
買上ファイル３１から、ｎ番目の商品データを取得できたならば（ＳＴ２６のＹＥＳ）、ＣＰＵ４１は、ＳＴ２７としてその商品データの実行回数が“１”以上か否か、つまり“０”であるかを判断する。ポイント寄付対象でない商品、若しくは、ポイントを寄付しないことが選択された商品の商品データは、実行回数が“０”である。この場合（ＳＴ２７のＮＯ）、ＣＰＵ４１は、ＳＴ３０としてこの商品データの価格に数量を乗算して金額を算出し、この商品の金額を、ＲＡＭ２３のポイント対象金額エリアに加算する。なお、ポイント対象金額エリアは、会員会計キーが入力される前、若しくは入力されたことに応じてクリアされている。しかる後、ＣＰＵ４１は、ＳＴ３１として、この商品データの商品コード、商品名、価格、数量及び金額から会計データを作成する。
【００４１】
これに対し、ポイント寄付対象であり、かつポイントを寄付することが選択された商品の商品データは、実行回数が“１”以上である。この場合（ＳＴ２７のＹＥＳ）、ＣＰＵ４１は、ＳＴ２８としてこの商品データの寄付ポイントに実行回数を乗算して実行回数分の寄付ポイントを算出し、この寄付ポイントとこの商品データの寄付先名とからポイント寄付データを生成する。そして、このポイント寄付データを、ＲＡＭ２３のポイント寄付データエリアに格納する。なお、ポイント寄付データエリアは、会員会計キーが入力される前、若しくは入力されたことに応じてクリアされている。また、ＣＰＵ４１は、ＳＴ２９としてワークエリアに記憶した累計寄付ポイントにＳＴ２８の処理で算出した実行回数分の寄付ポイントを加算する。しかる後、ＳＴ３１の処理に進み、この商品データの商品コード、商品名、価格、数量及び金額から会計データを作成する。
【００４２】
こうして、ｎ番目の商品データから会計データを作成したならば、ＣＰＵ４１は、ＳＴ２４の処理に進む。すなわち、カウンタｎをさらに“１”だけカウントアップし、買上ファイル３１からｎ番目の商品データを取得して、ＳＴ２７〜ＳＴ３１の処理を再度実行する。
【００４３】
買上ファイル３１内の全ての商品データについて、ＳＴ２７〜ＳＴ３１の処理を実行し、ｎ番目の商品データを取得できなくなったならば（ＳＴ２６のＮＯ）、ＣＰＵ４１は、ＳＴ３２としてオペレータ用表示器５０及び客用表示器５１に会計データのリストを表示させる。そこでキャッシャは、表示された会計データと客が購入する商品とを照合し、相違がなければ代金の支払いを受け、支払い方法に応じた締めキーを入力する。
【００４４】
ＣＰＵ４１は、ＳＴ３３としてキーボード４９の締めキーが入力されたならば、ＳＴ３４として会計データの売上登録及び釣銭演算等の会計処理を実行する（会計処理手段）。また、ＳＴ３５としてポイント対象金額エリアに記憶された金額に基づいて今回の発行ポイントを算出する。そして、ＳＴ３６としてワークエリアに記憶した保持ポイントに今回の発行ポイントを加算する。
【００４５】
また、ＣＰＵ４１は、ワークエリアに記憶した累計寄付ポイントでＲＡＭ４３の閾値テーブルを検索する。そして、当該ポイントが属する累計寄付ポイント範囲に対応する画像情報を読み出す。しかる後、ＣＰＵ４１は、ＳＴ３８としてプリンタ５２を駆動してレシートを発行する。レシートには、会計データのほか、ワークエリア内の保持ポイントと累計寄付ポイントも印刷される。また、ＳＴ３７の処理で閾値テーブルから読み出した画像情報の画像も印刷される。
【００４６】
ＣＰＵ４１は、ＳＴ３９としてワークエリア内の会員番号、保持ポイント及び累計寄付ポイントと、ポイント寄付データエリアに記憶したポイント寄付データとを、ＬＡＮ２経由でストアサーバ１に送信する（ポイント寄付手段）。以上で、会員に対する会計処理が終了する。
【００４７】
ストアサーバ１は、ＰＯＳ端末３から受信した会員番号、保持ポイント及び累計寄付ポイントのデータに従い、会員データベース１２の該当する会員番号に対応した保持ポイント及び累計寄付ポイントを更新する。また、ポイント寄付データ毎に寄付先データベース１３を検索し、ポイント寄付データと同一の寄付先名に対応した合計ポイントに、同データ中の寄付ポイントを加算する。
【００４８】
このように、ＰＯＳ端末３においては、無線通信端末９の買上ファイル３１に仮登録された商品データに基づいて会計処理が実行されるとともに、寄付問合せ画面６０にて寄付する旨の入力がなされた商品データ、すなわち実行回数が“１”以上の商品データから寄付ポイントが導出される。そして、この寄付ポイントが、ストアサーバ１によって管理されている寄付先データベース１３の所定の寄付先に対応した合計ポイントに加算処理される。また、実行回数が“０”の商品データからは、発行ポイントが導出される。そして、この発行ポイントが、ストアサーバ１によって管理されている会員データベース１２の該当会員番号に対応した保持ポイントに加算処理される。
【００４９】
したがって、ＰＯＳ端末３が設置されている会計場所で、客がポイントを寄付するか否かを選択したり、寄付する場合にその寄付先をどこにするかを指定したりすることなく、ポイントの寄付行為を実現できるので、会計業務に時間がかかり、会計場所の混雑を増長させるような不具合は起こり得ない。よって、実用性の高いポイント寄付方式を提供することができ、店のイメージアップにつながる。また、ポイントを寄付する商品以外の商品のデータから今回取引のポイントを算出して客に発行するので、店側及び客側の双方とも不利益を被ることはなく、ポイントサービス制度を円滑に進めることができる。
【００５０】
また、本実施の形態では、ストアサーバ１上の会員データベース１２において、各会員が今まで寄付したポイントの累計値が会員別に記憶管理されている。そして、買物の際には、会員が携帯する無線通信端末９のタッチパネル付ディスプレイ２６の画面に、当該会員の累計寄付ポイントに対応した画像が自動的に表示される。また、当該会員に対して発行されるレシートにも同様な画像が印刷される。したがって、この画像から、ポイントの寄付によりエコロジー活動や福祉活動に貢献していることを客自身が認識できるので、客の満足感を高めることができる。
【００５１】
なお、この発明は前記実施形態そのままに限定されるものではない。例えば、前記実施形態では、ポイント寄付対象の商品毎にポイントの寄付先をあらかじめ設定したが、寄付問合せ画面６０において複数の寄付先候補の中から所望の寄付先を客が選択できるようにしてもよい。
【００５２】
また、前記実施形態では、客用端末として機能する無線通信端末９の本体形状を携帯可能とし、客が手に持って商品コードをスキャニングするようにしたが、ショッピングカートに取り付けて持運びできるようにし、客が手に持つことなく商品コードをスキャニングできるようにしてもよい。
【００５３】
さらに、本実施の形態ではＰＯＳ端末３の内部に発明を実施するプログラムが予め記録されている場合で説明をしたが、これに限らず同様のプログラムをネットワークからＰＯＳ端末３にダウンロードしても良いし、同様のプログラムを記録媒体に記憶させたものをＰＯＳ端末３にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【符号の説明】
【００５４】
１…ストアサーバ、３…ＰＯＳ端末、４…アクセスポイント、５…端末ラックコントローラ、６…会員番号入力部、７…端末ラック、９…無線通信端末、１１…商品データベース、１２…会員データベース、１３…寄付先データベース、３１…買上ファイル、３２…閾値テーブル、３３…会員データファイル。
【先行技術文献】
【特許文献】
【００５５】
【特許文献１】特開２００８−１９７７８２号公報
【図１】
2010244430.tif 000003
【図２】
2010244430.tif 000004
【図３】
2010244430.tif 000005
【図４】
2010244430.tif 000006
【図５】
2010244430.tif 000007
【図６】
2010244430.tif 000008
【図７】
2010244430.tif 000009
【図８】
2010244430.tif 000010
【図９】
2010244430.tif 000011
【図１０】
2010244430.tif 000012
【図１１】
2010244430.tif 000013